(57)【要約】      （修正有）【課題】可及的に取付対象を傷つけず、しかも重量物の支持が可能な伸縮棒（突っ張り棒）用支持部材を提供する。【解決手段】一対の支持部材１０，１０を、家具等の対向する壁面Ａ及びＢに、平板１１に設けた孔部１２に画鋲３０を差し込むことで、取付け固定してある。そのうえで、伸縮棒（突っ張り棒）１を、対向する支持部材１０，１０の掛止壁１３，１３に載置し、伸縮棒（突っ張り棒）１を伸長させることで壁面Ａ、Ｂに押し付け固定する。また、画鋲３０に代え、平板１１自体に設けたピンで支持部材１０を取付対象に固定し、更に伸縮棒（突っ張り棒）を伸長させることで取付対象に押し付け固定しても良い。【選択図】図１
0003182846.tif 000002
【実用新案登録請求の範囲】
【請求項１】
画鋲（３０）と、画鋲（３０）を差し込む孔部（１２）を有する平板（１１）と、当該平板（１１）の周縁から立設される掛止壁（１３）と、により成る伸縮棒（突っ張り棒）支持部材。
【請求項２】
平板（１１）と、平板（１１）に垂設されるピン（２０）と、平板（１１）の周縁から立設される掛止壁（１３）と、により成る伸縮棒（突っ張り棒）支持部材。
【請求項３】
画鋲（３０）と、画鋲（３０）を差し込む孔部（１２）を有すると共に、側面におねじ（１７）を有する円盤（１４）と、内側面にめねじ（１８）を有する円筒形部材（１５）と、により成る伸縮棒（突っ張り棒）支持部材。
【請求項４】
側面におねじ（１７）を有すると共にピン（２０）が垂設された円盤（１４）と、内側面にめねじ（１８）を有する円筒形部材（１５）と、により成る伸縮棒（突っ張り棒）支持部材。
【考案の詳細な説明】
【技術分野】
【０００１】
本考案は、衣類用ハンガー掛けや伸縮棚、更には間仕切り用パネル等に使用することが可能な伸縮棒（突っ張り棒）を支持する部材に関する。
【背景技術】
【０００２】
近年、伸縮棒（突っ張り棒）と呼ばれる収納用具が汎用されている。この伸縮棒（突っ張り棒）とは、収納庫やクローゼット、キッチン、洗面所、家具などに取り付けるられる、伸縮と固定のできる細長い棒のことである。
【０００３】
より詳しくは、一本の棒がもう一本の筒状の棒に入った形状になっており、内側の棒をネジのように回転させて伸縮させるものや、外側の棒と垂直に小さいネジが付いていて、それを締めて内側の棒を固定するものなどが汎用されている。
【０００４】
図９は従来の伸縮棒（突っ張り棒）の構造を示すものである。管部材１００の軸方向一端にねじ棒１０１を突設し、該ねじ棒１０１に回動押圧部材１０２を螺合している。軸方向他端には圧接部材１０３が回動自在に嵌合している。使用時は管部材１００を家具等の内側壁間に配設し、ねじ棒１０１を回転して外方に移動し、ねじ棒１０１端面及び反対側の圧接部材１０３を家具等の一方内側壁Ａと、他方内側壁Ｂに圧接し固定するものである。
【０００５】
かように、伸縮棒（突っ張り棒）は、伸縮自在である特徴を生かし、壁に穴をあけずに、両端部を壁に圧接固定するので、賃貸住宅でも使用可能であること、簡単に取り付けることが可能であることなど、使い勝手に富む収納用具として、昨今広く利用されるアイテムとなっている。
【０００６】
特許文献１に中央部に突っ張り棒を嵌めこむ凹部を有し、壁に接触する面を滑動しない素材で形成した、突っ張り棒用支持部材が開示されている。
【先行技術文献】
【特許文献】
【０００７】
【特許文献１】特開２０１３−４７８
【考案の概要】
【考案が解決しようとする課題】
【０００８】
従来の伸縮棒（突っ張り棒）は、その両端部を壁に圧接することによってのみ、支持固定されていた。かかる方法は、取付対象を傷つけないという利点を有する反面、重量物を支持できないという欠点を有する。
【０００９】
そこで本考案は、可及的に取付対象を傷つけず、しかも重量物の支持が可能な伸縮棒（突っ張り棒）用支持部材を提供することを目的とする。
【課題を解決するための手段】
【００１０】
上記の目的を達成する本考案の構成は次の通りである。
【００１１】
（１）  請求項１に記載の考案は、画鋲と、画鋲を差し込む孔部を有する平板と、当該平板の周縁から立設される掛止壁とにより構成した。
【００１２】
（２）  請求項２に記載の考案は、平板と、当該平板に垂設されるピンと、平板の周縁から立設される掛止壁とにより構成した。
【００１３】
（３）  請求項３に記載の考案は、画鋲と、画鋲を差し込む孔部を有すると共に、側面におねじを有する円盤と、内側面にめねじを有する円筒形部材とにより構成した。
【００１４】
（４）  請求項４に記載の考案は、側面におねじ（１７）を有すると共にピン（２０）が垂設された円盤（１４）と、内側面にめねじ（１８）を有する円筒形部材（１５）と、により構成した。
【考案の効果】
【００１５】
上記のように構成される本考案が、如何に作用して課題を解決する効果を奏するかを、
図面参照しながら概説する。
【００１６】
図１は本考案の実施状態を示すものである。本考案に係る一対の支持部材１０，１０を、家具等の対向する壁面Ａ及びＢに、平板１１に設けた孔部１２に画鋲３０を差し込むことで、取付け固定してある。そのうえで、従来例にかかる市販の伸縮棒（突っ張り棒）１を、対向する支持部材１０，１０の掛止壁１３，１３に載置し、伸縮棒（突っ張り棒）１を伸長させることで壁面Ａ、Ｂに押し付け固定するものである。
【００１７】
あるいは、図示されないが、請求項２、請求項４記載の考案では、画鋲３０に代え、平板１１自体に設けたピン２０で支持部材１０を取付対象に固定し、更に伸縮棒（突っ張り棒）を伸長させることで取付対象に押し付け固定されるものである。
【００１８】
上記のように、本考案では従来の伸縮棒（突っ張り棒）の固定方法、すなわち両端を壁面に押し付けて固定するという手段と共に、支持部材を壁面に画鋲で固定する、あるいは支持部材自体に設けたピンで固定するという手段も併用されるものである。すなわち、従来例に比べ、より重量物の支持も可能となるのである。
【００１９】
しかも、伸縮棒（突っ張り棒）自体の押圧する力も加わっていることから、ビスやねじといった強固に固定可能であるが、他方で壁面を傷つける固定手段を用いずとも、つまりは壁面を傷つけない細い針を備えるに過ぎない画鋲、あるいはピンを使用するにすぎない本考案であっても、重量物を支持することが可能となるのである。
【図面の簡単な説明】
【００２０】
【図１】本考案の実施状態を示す説明断面図
【図２】請求項１記載の考案の正面、平面右側面側からの斜視図
【図３】Ａ  請求項２記載の考案の正面、平面、右側面側からの斜視図            Ｂ  請求項２記載の考案の背面、平面、左側面側からの斜視図
【図４】請求項３記載の考案の正面、平面、右側面側からの斜視図
【図５】請求項４記載の考案の背面、平面、左側面側からの斜視図
【図６】実施例１を示す説明断面図
【図７】実施例２を示す説明断面図
【図８】実施例２を示す斜視図
【図９】従来例の使用状態を示す説明断面図
【考案を実施するための形態】
【００２１】
以下、好ましい考案の一実施形態につき、図面を参照しながら概説する。なお、本考案の実施の形態は、下記の実施形態に何ら限定されることはなく、本考案の技術的範囲に属する限り種々の形態を採りうる。
【００２２】
図２Ａ，Ｂ，Ｃは、いずれも請求項１記載の考案の斜視図である。
【００２３】
図２Ａに示される伸縮棒（突っ張り棒）支持部材１０は、平板１１を方形に形成してあり、図２Ｂに示される伸縮棒（突っ張り棒）支持部材１０は、平板１１を略円弧状の盤体に形成してあり、図２Ｃに示される伸縮棒（突っ張り棒）支持部材１０は、平板１１を円盤状に形成してある。いずれも平板１１の中央部には孔部１２が設けてある。
【００２４】
更に図２Ａに示される伸縮棒（突っ張り棒）支持部材１０は、方形の平板１１の周縁のうちの三辺から方形板状の掛止壁１３が立設されており、図２Ｂに示される伸縮棒（突っ張り棒）支持部材１０では、略円弧状の盤体である平板１１の周縁のうちの直線状の辺部以外から掛止壁１３が立設されており、図２Ｃに示される伸縮棒（突っ張り棒）支持部材１０は、円盤状に形成してある平板１１の周縁全体から円筒形状の掛止壁１３が立設されている。
【００２５】
図３は請求項２記載の考案を示すものである。請求項１記載の考案における孔部１２が設けられておらず、平板１１の背面側には先端が鋭利なピン２０が設けられている。
【００２６】
図４は、請求項３に記載の伸縮棒（突っ張り棒）支持部材１０を示すものである。側面におねじ１７を設けた円盤１４の中央部には、孔部１６が設けられている。当該円盤１４と一体的に使用される円筒形部材１５の内側面には、おねじ１７と螺合するめねじ１８が設けられている。
【００２７】
図５は請求項４記載の考案を示すものである。請求項３記載の考案における孔部１２が設けられておらず、平板１１の背面側には先端が鋭利なピン２０が設けられている。
【００２８】
上記のように形成される伸縮棒（突っ張り棒）支持部材１０は、重量に耐えうる強度を有するものであればその素材は問わず、樹脂、金属、木材等を使用出来るものである。      
【実施例】
【００２９】
１、  実施例１
図６は、床面と天井との間に垂設される伸縮自在な突っ張り式ポール２を、本考案に係る支持部材１０で支持した状態を示すものである。天井および床面に伸縮棒（突っ張り棒）支持部材１０を画鋲３０で固定し、当該伸縮棒（突っ張り棒）支持部材１０を押圧する形態でポール２を垂設してある。
【００３０】
２、  実施例２
図７、図８は間仕切りタイプのパネル３を、本考案に係る支持部材１０で支持した状態を示すものである。
【００３１】
パネル３は、おねじ５ａを設けた棒状の脚部５と、おねじ５ａと螺合するめねじ４ａを設けたパネル本体４とにより成る。脚部５を回転させることで、脚部５が伸縮するものである。
【００３２】
天井面にはパネル本体４を嵌込み可能なコ字状の幅を有する縦長の支持部材１０が、画鋲３０で固定してあり、パネル本体４の上部が支持されている、床面には円筒形状の掛止壁１３を有する支持部材１０が、画鋲３０で固定してあり、脚部５の円盤状の下端を支持するものである。脚部５が伸長させ、天井、床面の支持部材１０を押圧し、強固にパネル３自体を固定するものである。
【符号の説明】
【００３３】
１０・・伸縮棒（突っ張り棒）支持部材      １１・・平板      １２・・孔部
１３・・掛止壁                  １４・・円盤      １５・・円筒形部材    
１６・・孔部                    １７・・おねじ    １８・・めねじ
２０・・ピン                    ３０・・画鋲
【図１】
0003182846.tif 000003
【図２】
0003182846.tif 000004
【図３】
0003182846.tif 000005
【図４】
0003182846.tif 000006
【図５】
0003182846.tif 000007
【図６】
0003182846.tif 000008
【図７】
0003182846.tif 000009
【図８】
0003182846.tif 000010
【図９】
0003182846.tif 000011